(57)【特許請求の範囲】
【請求項１】
顧客が利用するコンピュータ端末からチケットの購入申込をするための申込データを受信する手段、チケット価格を記憶する手段、チケットの減額値を記憶する手段、前記申込データを受け付ける毎に前記チケット価格から前記減額値を減算し減算した値を前記チケット価格として記憶する手段、前記チケット価格を前記コンピュータ端末に送信する手段を備えることを特徴とするチケット販売装置。
【請求項２】
チケットのスタート価格を記憶する手段、前記チケット価格の初期値を前記スタート価格とする手段を備えることを特徴とする請求項１記載のチケット販売装置。
【請求項３】
前記スタート価格より安いゴール価格を記憶する手段、前記チケットの販売枚数を記憶する手段、前記スタート価格と前記ゴール価格と前記販売枚数とに基づいて算出される値を前記減額値として記憶する手段を備えることを特徴とする請求項２記載のチケット販売装置。
【請求項４】
前記スタート価格より安いゴール価格を記憶する手段、前記チケットの販売枚数を記憶する手段、前記スタート価格から前記ゴール価格を差引きその差引価格を前記販売枚数で割った商を前記減額値として記憶する手段を備えることを特徴とする請求項２記載のチケット販売装置。
【請求項５】
コンピュータが、顧客の利用するコンピュータ端末からチケットの購入申込をするための申込データを受信し、チケット価格を記憶し、チケットの減額値を記憶し、前記申込データを受け付ける毎に前記チケット価格から前記減額値を減算し減算した値を前記チケット価格として記憶し、前記チケット価格を前記コンピュータ端末に送信することを特徴とするチケット販売方法。
【請求項６】
前記コンピュータが、チケットのスタート価格を記憶し、前記チケット価格の初期値を前記スタート価格とすることを特徴とする請求項５記載のチケット販売方法。
【請求項７】
前記コンピュータが、前記スタート価格より安いゴール価格を記憶し、前記チケットの販売枚数を記憶し、前記スタート価格と前記ゴール価格と前記販売枚数とに基づいて算出される値を前記減額値として記憶することを特徴とする請求項６記載のチケット販売方法。
【請求項８】
前記コンピュータが、前記スタート価格より安いゴール価格を記憶し、前記チケットの販売枚数を記憶し、前記スタート価格から前記ゴール価格を差引きその差引価格を前記販売枚数で割った商を前記減額値として記憶することを特徴とする請求項６記載のチケット販売方法。
【請求項９】
コンピュータを、顧客の利用するコンピュータ端末からチケットの購入申込をするための申込データを受信する手段、チケット価格を記憶する手段、チケットの減額値を記憶する手段、前記申込データを受け付ける毎に前記チケット価格から前記減額値を減算し減算した値を前記チケット価格として記憶する手段、前記チケット価格を前記コンピュータ端末に送信する手段として機能させることを特徴とするチケット販売のためのコンピュータプログラム。
【請求項１０】
コンピュータを、チケットのスタート価格を記憶する手段、前記チケット価格の初期値を前記スタート価格とする手段として機能させることを特徴とする請求項９記載のチケット販売のためのコンピュータプログラム。
【請求項１１】
コンピュータを、前記スタート価格より安いゴール価格を記憶する手段、前記チケットの販売枚数を記憶する手段、前記スタート価格と前記ゴール価格と前記販売枚数とに基づいて算出される値を前記減額値として記憶する手段として機能させることを特徴とする請求項１０記載のチケット販売のためのコンピュータプログラム。
【請求項１２】
コンピュータを、前記スタート価格より安いゴール価格を記憶する手段、前記チケットの販売枚数を記憶する手段、前記スタート価格から前記ゴール価格を差引きその差引価格を前記販売枚数で割った商を前記減額値として記憶する手段として機能させることを特徴とする請求項１０記載のチケット販売のためのコンピュータプログラム。
【請求項１３】
顧客が利用するコンピュータ端末からチケットの購入申込をするための申込データを受信する手段、前記申込データを受け付けた順番を記憶する手段、前記チケットのスタート価格を記憶する手段、前記スタート価格と前記順番とに基づいてチケット価格を算出しそのチケット価格を記憶する手段、算出された前記チケット価格を前記コンピュータ端末に送信する手段を備えることを特徴とするチケット販売装置。
【請求項１４】
前記算出処理は前記順番が早いほど前記チケット価格を安くする処理であることを特徴とする請求項１３記載のチケット販売装置。
【請求項１５】
コンピュータが、顧客が利用するコンピュータ端末からチケットの購入申込をするための申込データを受信し、前記申込データを受け付けた順番を記憶し、前記チケットのスタート価格を記憶し、前記スタート価格と前記順番とに基づいてチケット価格を算出しそのチケット価格を記憶し、算出された前記チケット価格を前記コンピュータ端末に送信することを特徴とするチケット販売方法。
【請求項１６】
前記算出処理は前記順番が早いほど前記チケット価格を安くする処理であることを特徴とする請求項１５記載のチケット販売方法。
【請求項１７】
コンピュータを、顧客が利用するコンピュータ端末からチケットの購入申込をするための申込データを受信する手段、前記申込データを受け付けた順番を記憶する手段、前記チケットのスタート価格を記憶する手段、前記スタート価格と前記順番とに基づいてチケット価格を算出しそのチケット価格を記憶する手段、算出された前記チケット価格を前記コンピュータ端末に送信する手段として機能させることを特徴とするチケット販売のためのコンピュータプログラム。
【請求項１８】
前記算出処理は前記順番が早いほど前記チケット価格を安くする処理であることを特徴とする請求項１７記載のチケット販売のためのコンピュータプログラム。
【発明の詳細な説明】
【０００１】
【発明の属する技術分野】
この発明は、商品チケット販売方法と装置に関し、詳しくは販売数に限りある商品、コンサート、イベント、スポーツ会場等のチケット（入場券）の申し込み申し込み数に応じて価格を決定する方法とその装置に関する。
【０００２】
【従来の技術】
チケット業界は全国で年間約１兆円の総売上があると言われているが、実際に定席のもので、販売が実現されているのは半分の５千億円であり、残りの５千億円は残券となり、紙屑となっている。売れ残っているチケットが半分近くにもなっている。海外では各種チケットがハーフプライスで入手できる市場が形成されて存在するが、日本では未だ実現されていない。
従来では、各種商品やサービスの商品券やチケットを取り扱うインターネット上で、申し込む人が多くなるほど安くなるシステムが見られなかった。又友人等に「お前も買えば、俺も安くなる」などと人を誘いたくなるようなインターネット上の販売方法が存在しなかった。
【０００３】
【発明が解決しようとする課題】
従来、公演の会場で集うお客同士には、横のつががりが殆ど無く、互いの繋がりを実現することは費用がかかり容易でなかった。
又公演会場で、公演と同時に販売されるコンサートツアーのＴシャツなども売り残りが大量にある場合が多かった。
【０００４】
スポーツ系ではプロ野球の優勝決定後の残り試合、あるいはロングランミュージカルの終盤での公演など、顧客が宣伝にのみ飽きただけであり、実際にはまだ活気に溢れ、興味深く魅力があるイベントの場合が多いのに、チケットが売れ残る事が多かった。
海外に較べ日本の興行界はもともとチケットが高価であるという批判があり、それかといって各種の制約があり、チケットの値段を簡単には下げることが困難であった。
【０００５】
この発明の目的は、会場で集うお客同士の繋がりを、自然な形で少しでも実現するとともに、コンサートツアーのＴシャツや記念品などをより多く販売することである。
この発明の他の目的は、人気が今一歩足らないプロ野球チーム、あるいは売り出し始めたばかりのタレントやロングランミュージカルの終盤でのチケットを完全に売り切れるようにすることである。
この発明の更に他の目的は、海外同様に市場を混乱させることなく各種のチケットの値段を可能な限り下げることができるチケットの販売方法と装置を提供することである。
【０００６】
【課題を解決する手段】
本発明は、以下の手段を備える装置、コンピュ
ータが以下の処理を行う方法、コンピュータを以下の手段として機能させるコンピュータプログラムに関するものである。（１）  顧客が利用するコンピュータ端末からチケットの購入申込をするための申込データを受信する手段、チケット価格を記憶する手段、チケットの減額値を記憶する手段、前記申込データを受け付ける毎に前記チケット価格から前記減額値を減算し減算した値を前記チケット価格として記憶する手段、前記チケット価格を前記コンピュータ端末に送信する手段を備える。
（２）  チケットのスタート価格を記憶する手段、前記チケット価格の初期値を前記スタート価格とする手段を備える。
（３）  前記スタート価格より安いゴール価格を記憶する手段、前記チケットの販売枚数を記憶する手段、前記スタート価格と前記ゴール価格と前記販売枚数とに基づいて算出される値を前記減額値として記憶する手段を備える。
（４）  前記スタート価格より安いゴール価格を記憶する手段、前記チケットの販売枚数を記憶する手段、前記スタート価格から前記ゴール価格を差引きその差引価格を前記販売枚数で割った商を前記減額値として記憶する手段を備える。
（５） 顧客が利用するコンピュータ端末からチケットの購入申込をするための申込データを受信する手段、前記申込データを受け付けた順番を記憶する手段、前記チケットのスタート価格を記憶する手段、前記スタート価格と前記順番とに基づいてチケット価格を算出しそのチケット価格を記憶する手段、算出された前記チケット価格を前記コンピュータ端末に送信する手段を備える。
（６） 前記算出処理は前記順番が早いほど前記チケット価格を安くする処理であることを特徴とする請求項１３記載のチケット販売装置。
【００１２】
【発明の実施の形態】
以下、この発明の商品チケット販売方法と装置の実施の形態について説明する。
なお、ここで商品チケット（券）とは商品（物）そのもの、商品（物）と交換可能な権利書やデジタル暗号権利、入場券、サービスを受ける権利やその権利書、債権、譲渡権、証券、売買対象の権利等広い概念である。以下の説明では理解を容易にするために、野球のチケット（入場券）を一例に説明する。
本発明は、インターネットを利用する商品チケット販売方法と装置であり、装置はインターネットとそこに接続される複数の顧客のパソコンとホストの計算機とで構成される。
【００１３】
図１において、インターネット３０には通信回線２２を介して多数の端末であるパソコン２０が接続可能であり、またデータセンタである興行用のチケット販売業者のホームページ、即ちホスト１０が接続されている。
これら多数のパソコン２０がインターネット３０を介して自由にホスト１０に対して情報の要求や各種のアクセスを行う。
多数の端末は通信手段と表示装置を持つ端末ならｉモード（データ交信可能機）機の携帯電話やＰＨＳやゲーム装置、ノートパソコンなどでもよい。
【００１４】
パソコン２０はＣＰＵ２１や表示部２３やモデム２４やＲＡＭ２５等を備え、またマウス２６が接続され、又インターネットウェブ２７と電子メールプログラム２８を備えている。
インターネットに接続可能な一般の消費者や顧客の家庭や職場の端末はほぼこのような構成のパソコン２０であり、その所有者はインターネット接続業者（図示しないプロバイダ）に予め登録している。
【００１５】
さて、一方のホスト１０にはＣＰＵ２と受け付けカウンタ３と会員データベース４とスライドディスカウントデータベース５と時計６と初期プログラム７とキー等の入力装置８と表示部９と、電子メールプログラム１２と作図プログラム１３とモデムやＲＡＭ１４等を備えている。
【００１６】
受け付けカウンタ３は外部からのアクセスのうち申し込みのみを計数する。時計６は、ホスト１０の設置後引き続きＣＰＵ２とは独立に日本標準日時を計測しており、日時刻データは随時ＣＰＵ２により読み出されている。
初期プログラム７は値段を決定する一次計算式（Ｓ０−Ｇ０）/Ｎ等の関数Ｆ（ｘ）を内蔵し、電子メールプログラム１２は電子メールの送信を管理する。
作図プログラム１３は、価格変化表Ｄと申し込み枚数とから変化する価格を図示する価格グラフを作成する。
【００１７】
次ぎに会員データベース４とスライドディスカウントデータベース５について説明する。
図２において、会員データベース４は、会員毎に作成されるので、何千何万ページが存在する。そこには各個人毎に例えば個人情報４０の氏名、住所、電話番号、連絡先、ＦＡＸ番号と、電子メールアドレス４１、取引データ４２、申し込みデータ４３とクレジットカード又はＩＤ番号４４の各欄とを備えている。
申し込みデータ４３の欄は、年月日とイベント名と券種枚数と申し込み順番などの詳細欄からなり、取引データ４２の欄と申し込みデータ４３の欄データは随時追加変更可能である。
【００１８】
図3でスライドディスカウントデータベース５について説明する。スライドディスカウントデータベース５は、イベント毎に独立して複数設けられている。
イベント欄５０には、スライドディスカウント対象のイベント名と日時と場所とチケット席種の欄とを備え、受け付け用の電子メールアドレス５１と申し込み（応募）期間５２とスタート価格５３とゴール価格５４と販売枚数５５と記録エリア５６低減率５７等の欄と価格変化表欄Ｄから構成される。
【００１９】
なお、低減率５７の欄と価格変化表欄はＤ記録エリア５６内に構成できる。
チケット販売業者は年間を通じ季節毎に多くのスライドディスカウントのチケット販売を請け負うので、複数ページとなる。又会員データベース４とスライドディスカウントデータベース５とは同一のハードディスク（記憶装置）を使用できる。
【００２０】
ホスト１では、チケットを売り切るために主催者の判断により、または委託販売以内でチケット販売業者の判断により、スライドディスカウント（SD）データベース５に以下の設定をする。
入力装置８を使用して、表示部９を見ながらイベント名と日時と場所とチケット席種と販売可能枚数Nとスタート価格S０とゴール価格G０と期限年月日Ｃ〜Lとを各欄に設定する。
【００２１】
ホスト１０の管理者が販売可能枚数Nを例えば２００枚、スタート価格S０はチケットの定価例えば７０００円を開始とし、ゴール価格G０は３５００円とし、販売可能枚数Nを２００枚に、期限年月日Ｃ〜Lを１９９９年１０月１日から１９９９年１０月２０日と、ディスカウント対象のイベント毎に入力する。定価で販売して売れ残るより、低価格で完売した方が全体として利益になると考える時に採用する。
【００２２】
ＣＰＵ２は初期プログラム７に従いこれらのデータを読み出し、例えば計算式（Ｓ０−Ｇ０）/Ｎにより、販売枚数が増加する毎による価格低減値Ｚを算出し、低減率欄５７に記録する。
この例では（７０００円−３５００円）/２００枚＝３５円/２枚、即ち２枚受け付ける毎に３５円安くすることになる。正確には３５円/２枚は、即ち１枚受け付ける毎に１７．５円安くすることになる。
更にＣＰＵ２は初期プログラム７に従い、販売枚数毎の価格変化表Ｄを算出し、価格変化表欄Ｄに図４のように記録する。
【００２３】
図４に初期プログラム７により算出した販売枚数毎の価格変化表Ｄを示す。ここでは請算を簡便にし、また理解を簡単にするために、２０枚毎に表示する。価格設定（変化）の刻みは１枚毎にも或いは２枚でも任意に設定できる。
上段の横の０から２０刻みの２００までが販売枚数を、左の縦の２０から２０刻みの２００までが申し込み順番を示している。価格表Ｄはあくまで予定価格である。
図４の価格変化表Ｄによると、２００枚のうち２０枚受け付けると、２枚受け付ける毎に３５円安くなるので１０倍の３５０円割安（１回目の３５０円割安）となり、最初に受け付けた２０枚については価格が７０００−３５０＝６６５０円となる。
【００２４】
次ぎの２０枚受け付けると合計４０枚となり、最初に受け付けた２０枚は２回目の３５０円割安となり、６６５０−３５０＝６３００円となる。
今回受け付けた２０枚については、スタート価格から始めて７０００−３５０＝６６５０円（１回目の３５０円割安）となる。
３回目の２０枚受け付けると合計６０枚となり、最初に受け付けた２０枚は３回目の３５０円割安となり、６３００−３５０＝５９５０円となる。
２回目に受け付けた２０枚については、２回目の３５０円割安となり、６６５０−３５０＝６３００円となる。
【００２５】
今回受け付けた２０枚については、スタート価格から始めて７０００−３５０＝６６５０円（１回目の３５０円割安）となる。
以下同様にして最後の１８１枚目から２００枚の２０枚が受け付けると、最初に受け付けた２０枚は１０回目の３５０円割安となり、７０００−３５０Ｘ１０＝３５００円（ゴール価格）となる。
２回目に受け付けた２０枚は９回目の３５０円割安となり、７０００−３５０Ｘ９＝３８５０円となる。
【００２６】
以下同様に早期にチケットを申し込んだユーザー群は、後で申し込んだユーザー群より多くの割引を受けることになる。
最後に受け付けた２０枚については、スタート価格から始めて７０００−３５０＝６６５０円（１回目の３５０円割安）となる。
図４の表Ｄでは販売枚数が増加するにつれて、価格値が左から右に移動し、２００枚完売時点で最右端の価格数値欄となる。
【００２７】
期限期日Ｌまでに受け付けられないと、この価格変化表Ｄの左から右の途中で止まる何れかの価格数値欄になる。例えば１２０枚しか受け付けられずに、８０枚が残った場合は、最初の２０枚を申し込んだチケットは４９００円で最後の２０枚のチケットは６６５０円となる。
ここでは計算式（Ｓ０−Ｇ０）/Ｎを使用したが、低減関数は逆二乗で急減少するものでもよく、1次式で勾配が1以下の緩い減少率の関数でもよい。
【００２８】
次ぎに図６のフロー図に従ってまず顧客側のパソコン２０の動作について説明する。
一般の顧客、ユーザーがインターネット端末のパソコン２０、またはゲーム機、通信カラオケ装置、携帯電話等の電源をオンにすると、フローは開始する。以下説明上パソコン２０を端末とする。
【００２９】
ステップＳ１では公衆回線２２を介して電話を掛けるなどして所属するインターネットのプロバイダーに接続する。
接続後パソコン２０の画面には、一般的なインターネット用のナビゲータのスタート画面が表示される。
ステップＳ２では端末のパソコン２０上のスタート画面から、インターネットウェブ２７のナビゲータを使用してチケット販売業者のホームページ、即ちホスト１０にアクセスする。
【００３０】
ステップＳ３では顧客が端末のパソコン２０のマウス２６等を使用して、チケット販売業者、例えば“チケットぴあ”のホームページから図5のスライドディスカウント案内画面に移行する。
スライドディスカウント対象のイベントは複数存在するが、ユーザーは好みのものを選択できる。
【００３１】
例えば、パソコン２０の画面に図５が表示される。そこには、イベント名と開催日と時間と場所と席種及び価格と、販売チケット枠と募集期間と、スタート価格とゴール価格と標語の“みんなで団体割引”とか“早く申し込むとより安くなる”等案内が表示される。
同時に画面には“割引説明”のメニュー３０を表示し、ステップＳ４でポインターＫにより“説明”が選択されると、ステップＳ５に進み図４の価格変化表Ｄと図８のグラフを表示できる。
【００３２】
ユーザーはこのチケットの価格低減率Ｚと予定価格を知ることができ、又既に申し込みがあった場合にはどこまでこのチケットが現在安くなっているかを興味深く注意して観察し、その結果を知人や友人に話すきっかけとなる。
こうして“チケットぴあ”のホームページに対するアクセス回数の増加に繋がるようになる。
【００３３】
ステップＳ４で“説明”を選択しないと、ステップＳ６の申し込み操作に移る。
図５の“日韓プロ野球スーパーゲーム”について、図４のチケットの価格変化表Ｄと図８のグラフと日時と球場名とを勘案した顧客は購入枚数を決める。
ここでは、受け付けフォーマット（図示は省略）の申し込み画面にチケット枚数など必要事項を記入する。
会員登録時に通知した決済手段にリンクした会員データベース４のＩＤ番号４４やクレジットカード（例えばＶＩＳＡ等）の番号を必ずキー２５により入力させる。
【００３４】
ステップＳ６ではフォーマットの申し込み画面上（ウェブ上）で、“確認”文字をクリックなどして、記入済み申込書（データ）をホスト１０に送信する。
ここで、図１においてパソコン２０からインターネット３０を介してホスト１０に申込データが送られる。全国の多数のパソコン２０からインターネット３０を介してホスト１０には次々と申込データが寄せられてくる。
【００３５】
次ぎに図７のフロー図に従ってチケット販売業者のホスト２側の動作について説明する。
図1のホスト１０は２４時間インターネット３０上に開放されており、一般顧客、ユーザーのパソコン２０からのアクセスを待っている。
ステップＳ８で、ホスト１０がアクセスを受けると、ホスト１０はパソコン２０に、インターネット３０を介してチケット販売業者のホームページの画面データを送信する。
ホスト１０がパソコン２０に、インターネット３０を介してデータを送信すると結果的にパソコン２０画面に該当データが表示される（以下同じ）。
【００３６】
ステップＳ９では、顧客のパソコン２０のからの要求に従い、ＣＰＵ２はホームページの次ぎにスライドディスカウントデータベース５から、図5のディスカウント案内画面データを送信する。
例えば、“日韓プロ野球スーパーゲーム”案内が送信される。
１１月１０日（水）６：３０ＰＭ  東京ドーム、Ｓ席７０００円、スタート価格７０００円とゴール価格３５００円、募集期間１０月１日１８：００〜１０月１０日１８：００等が送信される（後顧客のパソコン２０ではこの案内に反応する）。
【００３７】
次ぎのステップＳ１０では、既に幾らかの申し込みのデータが累積されていれば、ステップＳ１１に進み図８の現在価格表示画面を送信する。
図８では、現在価格表示画面のデータをパソコン２０上に再現した形式で説明している。
まずこのグラフは図４の価格変化表Ｄを作図プログラム１３により図示化したもので、縦軸はチケットの価格を３５００円から７０００円まで、横軸は販売枚数０から２００枚までを、右肩下がりのグラフＱは、価格の低減する様子をそれぞれ示している。
【００３８】
価格変化表Ｄはスライドディスカウントデータベース５の記録エリア５６に格納される。
図８において最初に購入したチケットが現金決済時に７０００円から３５００円のどこまで割り引かれるかを示している。
このグラフＱは、スタート価格S０＝７０００円とゴール価格G０＝３５００円とし、販売可能枚数N＝２００枚が設定されると一義的に定まるものである。
【００３９】
販売前７０００円だったチケットは、グラフＰ１によると１０月１日１８：００発売直後、２０枚申し込みがあり、Ｑ１時点で６６５０円まで安くなっている。
販売前７０００円のチケットは、１０月２日１８：００では、合計４０枚申し込みがあり、Ｑ２時点で１回目の２０枚は６３００円まで安くなっている。
販売途中にユーザーのパソコン２からアクセスがあると、上述のようにパソコン２の画面に表示される。
【００４０】
販売前７０００円のチケットは、１０月３日１８：００では、合計６０枚以上の申し込みがあり、Ｑ３時点で１回目の２０枚は６０００円よりも安く、２回目の２０枚は６３００円よりも安くなっていることが読み取れる。
又右肩上がりのグラフＰ１、Ｐ２…Ｐ８、Ｐ９、Ｐ１０は２０枚毎の販売時の申し込み順による割引価格を示し、販売枚数が増加するにつれてＰ１、Ｐ２…Ｐ８、Ｐ９、Ｐ１０へ矢印Ｙ方向に平行移動する。
例えば、グラフＰ１０では２００枚が申し込まれて（完売）、最初の１回目の２０枚は３５００円まで格安となっていることが読み取れる。
【００４１】
この時次ぎに申し込みのあった２０枚はグラフＰ１０上では近似的に３８５０円であることが読み取れる。
逆に販売開始直後の最初の２０枚が受け付けたグラフＰ１では、最初の１回目の２０枚はまだ６６５０円にしか割り引かれていないことが読み取れる。
次ぎ２０枚が受け付けたグラフＰ２では、最初の１回目の２０枚は６３００円に、２１回目の２０枚は６６５０円にそれ割り引かれていることが読み取れる。
【００４２】
ステップＳ１０ではホスト２は受信により申し込みデータが蓄積したか調べて、無ければステップＳ１２に進む。蓄積があれば、ステップＳ１１に進み、図１のグラフＱや各申し込み数に該当するＰ１またはＰ２…Ｐ１０の何れかの表示データを送信する。
ステップＳ１２では、現アクセスから申し込みがあるかないか調べ、なければステップＳ８に戻り、引き続きスライドディスカウント情報の要求にのみ応じる。
【００４３】
申し込みがあればステップＳ１３に進み、受信したＩＤ番号、氏名、住所等について、申し込みのパソコン２０が登録会員であるかどうか会員データベース４を参照して識別する。氏名や会員番号等を照合する。
登録会員でなければステップＳ９に戻り、引き続きスライドディスカウント情報の要求にのみ応じる。登録会員でなくとも、ホームページの閲覧は可能であり、スライドディスカウント案内と現在価格とは自由に広く公開する。
【００４４】
登録会員であればステップＳ１４に進み、受け付けカウンタ３はアクセス番号を計数し（＋１）して、該当者名簿の個人情報４０の申し込みデータ欄４３に申し込みデータ、即ち年月日とイベント名と券種枚数と申し込み順番とを記録する。特に申し込み順番欄には、重要な受け付け番号（順番）１や４０や２０等を記録する。
この時申し込みデータ欄４３には、今回のスライドディスカウントのタイトル名と時計６から得た日時とチケット席種と枚数も同様に記録される。
【００４５】
次ぎのステップＳ１５では、図８の現在申し込み人数と現在価格とグラフ表示データとを送信する。ＣＰＵ２は時計６から日時を、受け付けカウンタ３から申し込み累計数を、作図プログラム１３は初期プログラム７から式：（Ｓ０−Ｇ０）/Ｎを、スライドディスカウントデータベース５の記録エリア５６から価格変化表Ｄをそれぞれ読み出してグラフを演算して作成し送信する。
【００４６】
ステップＳ１６ではホスト１０のＣＰＵ２は受け付けカウンタ３の累計値Ｍとスライドディスカウントデータベース５内のＮ＝２００を比較する。
売り切れたかどうか調べ、売り切れていなければステップＳ１７に進み、時計６からの日時と申し込み期限日Ｌとを比較し、期限日以内なら（過ぎていなければ）ステップＳ８に戻り、次ぎのアクセスを待ち引き続き受け付ける。
【００４７】
ステップＳ８からステップＳ１７までの間はチケット販売業者がホームページ上で、スライドディスカウント“日韓プロ野球スーパーゲーム”案内と現在価格と予定価格とを図8のようにグラフ掲示し、且つ申し込み期限Ｌの日まで会員から申し込み申し込みを受け付ける。
【００４８】
ステップＳ１６で、２００枚売り切れていたり、ステップＳ１７で期限Ｌの日を過ぎていたらともにステップＳ１８に進み、ＣＰＵ２は前述同様な計算で最終価格を決定し、グラフ表示で最終結果をスライドディスカウントデータベース５の記録エリア５６にデータを格納する。
ステップＳ１９では販売処理と課金処理を行い終了する。
電子メールプログラム１２は申し込み者に対して電子メールアドレス４１宛てに決定価格の通知を送信することもできる。
【００４９】
販売処理と課金処理では、ＣＰＵ２は会員データベース４中の取引データ４２の欄に販売したチケット席種と価格を記録し、課金処理を行う。
当該会員のクレジット番号４４へ請求書を発行し、クレジット会社や銀行との決済を求める処理を実行してもよい。
【００５０】
会員は後日、自由な時間にパソコン２０をインターネット３０に接続し、自己の電子メールの受信箱を開くことにより、ホスト１０から届いた最終価格通知を確認できる。チケットは郵送か店舗引取りによって受け取ることができる。
なお、チケットは２００枚の申し込みで、７０００円を３５００円に割引くことで説明したが、これら枚数や価格は必要に応じて各種変更可能である。
【００５１】
またあるコンサートのチケットを、料金と公演日と席番と会場とをインターネット上で公開し、チケットをオークション方式で販売し、購入者が多くなればなるほど価格を下げることができる。
消費者に高く売るのではなく、安く売ることで、社会的貢献にもなることができる。
【００５２】
設定枚数が完売できたら、オプションで、一律何％の追加割引を与えることも可能である。この発明では今日のチケット価格はどう低減したか等興味しんしんとなり、購入参加が一種の公開ゲームとなり、インターネットの国民的普及にも貢献できる。
早く申し込んだユーザーには大きな割引を与える優待を行うことで、販売促進が図られる。職場や家庭や知人など個人の交際範囲を超えた公開のインターネット仲間で、みんなで参加しようと話題性を大きくできる。
【００５３】
最初の方で申し込んだ客がより有利な価格になる（インセンティブを受ける）ので、友達に教えてあげる、「お前も安くなるよ」と客が他の客を呼び、みんなで団体割引というキャッチフレーズを採用した楽しい企画が実現できる。
インターネットを利用して、ゲーム性を発生しつつ、普通は互いに無縁な顧客の横のつながりを容易に実現できる。
【００５４】
なお更に、野球チケットを例に説明したが、イベントにちなんだグッズの販売価格であってもよい。更に各種商品、工業製品の車やパソコン等、農水産品の牛肉や海産物等、音楽ＣＤや書籍等の販売数と期限を決めて発売する場合の当該商品の価格決定を行うものでもよい。
【００５５】
【発明の効果】
この発明によれば、企画する側やチケット販売業者にとっては、知名度の比較的低いイベントや興行やコンサートのチケットを広く販売できる。
顧客やユーザー側ではディスカウント（割引）チケットを獲得する過程でのゲーム性を楽しむことができる。
どの程度スライドディスカウントが実現されたか、インターネットをアクセスする毎に期待感があり、興味深く情報入手からチケット購入まで過程が楽しめる。
【００５６】
アーティスト、チーム、劇団毎に、顧客やユーザーの申し込み増加具合が公開で知られるので、人気度の変化を入手できる。
主催者にとっては、より多く売るための新しい手法となり、結果的に売り逃しがない販売方法となり、早期に販売見込みが立てられることもある。
【図面の簡単な説明】
【図１】この発明の商品チケットの販売装置全体のブロック図である。
【図２】この発明の商品チケットの販売装置の要部の詳細図である。
【図３】この発明の商品チケットの販売装置の他の要部の詳細図である。
【図４】この発明の商品チケットの販売装置により作成される価格変化表の例である。
【図５】この発明の商品チケットの販売装置のホームページ画面に表示された案内画面の図である。
【図６】この発明の商品チケットの販売装置の端末側の動作を説明するフロー図である。
【図７】この発明の商品チケットの販売装置のホスト側の動作を説明するフロー図である。
【図８】この発明の商品チケットの販売方法の端末側の価格変化グラフを示す図である。
【符号の説明】
２，２１  ＣＰＵ
３  アクセスカウンタ
４  会員データベース
５  スライドディスカウントデータベース
６  時計
８  入力装置
９、２３  表示部
１０  ホスト
１２、２８  電子メールプログラム
１３  作図プログラム
２０  パソコン
２２  通信回線
２４  モデム
２６  マウス
２７  インターネットウェブ
３０  インターネット
４０  個人情報
４１  電子メールアドレス
４２  取引データ
４３  申し込みデータ
４４  ＩＤ番号
５０  イベント欄
５１  電子アドレス
５２  期間欄
５３  スタート価格欄
５４  ゴール価格欄
５５  販売枚数
５６  記録エリア
５７  低減率欄
Ｄ  価格変化表
【図１】
0004523103.tif 000002
【図２】
0004523103.tif 000003
【図３】
0004523103.tif 000004
【図４】
0004523103.tif 000005
【図５】
0004523103.tif 000006
【図６】
0004523103.tif 000007
【図７】
0004523103.tif 000008
【図８】
0004523103.tif 000009